【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
起動後にカウントアップを開始する時刻タイマと、
外部から現在時刻を取得する少なくとも１つの外部現在時刻取得部と、モジュールからの時刻情報問い合わせに対して時刻情報を返すタイマ管理部と、を備え、
前記タイマ管理部は、
前記外部現在時刻取得部が取得した現在時刻を、前記時刻タイマに反映した後に、モジュールからの時刻情報問い合わせに対して、現在時刻を返す第一の機能と、
起動後の経過時間を返す第二の機能と
を有することを特徴とする電子機器。
【請求項２】
起動後にカウントアップを開始する時刻タイマと、
機器の基準時刻を保持する基準時刻記憶部と、
外部から現在時刻を取得する少なくとも１つの外部現在時刻取得部と、
モジュールからの時刻情報問い合わせに対して時刻情報を返すタイマ管理部と、を備
え、
前記タイマ管理部は、
前記外部現在時刻取得部が取得した現在時刻を、前記時刻タイマと前記基準時刻記憶
部とに反映した後に、現在時刻を返す第一の機能と、
起動後の経過時間を返す第二の機能と
を有することを特徴とする電子機器。
【請求項３】
バックアップ電源を備えておらず、起動後にカウントアップを開始する時刻タイマと、
機器の基準時刻を保持する基準時刻記憶部と、
外部から現在時刻を取得する少なくとも１つの外部現在時刻取得部と、
モジュールからの時刻情報問い合わせに対して時刻情報を返すタイマ管理部と、を備
え、
前記タイマ管理部は、
前記外部現在時刻取得部が取得した現在時刻を、前記時刻タイマと前記基準時刻記憶
部とに反映した後に、現在時刻を返す第一の機能と、
起動後の経過時間を返す第二の機能と
を有することを特徴とする電子機器。
【請求項４】
前記外部現在時刻取得部は、放送波から現在時刻を取得する第１の外部現在時刻取得部
と、通信により外部から現在時刻を取得する第２の外部現在時刻取得部と、の少なくともいずれか一方であることを特徴とする請求項１から３までのいずれか１項に記載の電子機器。
【請求項５】
前記時刻タイマの値と、前記外部現在時刻取得部から取得した現在時刻とを比較する比
較部を有し、該比較部による比較結果に基づいて、前記時刻タイマを更新するか否かを判定することを特徴とする請求項１から４までのいずれか１項に記載の電子機器。
【請求項６】
前記時刻タイマの値と、前記外部現在時刻取得部から取得した現在時刻との差分に基
づいて、前記時刻タイマを更新するか否かを決定することを特徴とする請求項５に記載の電子機器。
【請求項７】
任意の時刻と前記時刻タイマにおける時刻との比較に基づいて、前記時刻タイマを更新
するか否かを判定することを特徴とする請求項１から４までのいずれか１項に記載の電子機器。
【請求項８】
さらに、現在時刻を表示するときに、外部から現在時刻が取得できていないときは時刻
表示を行わないように制御することを特徴とする請求項１から７までのいずれか１項に記載の電子機器。
【請求項９】
さらに、現在時刻を表示するときに、外部から現在時刻が取得できていないときでもタ
イマ管理部に時刻を問い合わせた場合には応答されるが、時刻表示を行わないように制御が行われることを特徴とする請求項１から７までのいずれか１項に記載の電子機器。
【請求項１０】
前記時刻タイマが、実際の時刻よりも前のある時刻からカウントされるタイマである
ことを特徴とする請求項１から９までのいずれか１項に記載の電子機器。
【請求項１１】
バックアップ電源を備えておらず、起動後にカウントアップを開始する時刻タイマと、
機器の基準時刻を保持する基準時刻記憶部と、
外部から現在時刻を取得する少なくとも１つの外部現在時刻取得部と、
モジュールからの時刻情報問い合わせに対して時刻情報を返すタイマ管理部と、を備
え、
前記タイマ管理部は、
前記外部現在時刻取得部が取得した現在時刻を、前記時刻タイマと前記基準時刻記憶
部とに反映した後に、現在時刻を返す第一の機能と、
起動後の経過時間を返す第二の機能と
を有することを特徴とするタイマ調整装置。
【請求項１２】
バックアップ電源を備えておらず、起動後にカウントアップを開始する時刻タイマと、
機器の基準時刻を保持する基準時刻記憶部と、
外部から現在時刻を取得する少なくとも１つの外部現在時刻取得部と、
モジュールからの時刻情報問い合わせに対して時刻情報を返すタイマ管理部としての機能をコンピュータに実行させ、
さらに前記タイマ管理部において、
前記外部現在時刻取得部が取得した現在時刻を、前記時刻タイマと前記基準時刻記憶部とに反映した後に、現在時刻を返す第一の機能と、
起動後の経過時間を返す第二の機能と
をコンピュータに実行させるためのタイマソフトウェア。
【請求項１３】
起動後にシステムの初期値からカウントアップを開始する時刻タイマと、
機器の基準時刻を保持する基準時刻記憶部であって、起動時に前記システムの初期値を記憶する基準時刻記憶部と、
外部から時刻情報を取得する少なくとも１つの外部時刻情報取得部と、
前記外部時刻情報取得部が外部から現在時刻を取得すると、前記外部時刻情報取得部がタイマ管理部に対して時刻を取得したことを通知し、前記タイマ管理部は、外部から取得した前記現在時刻と前記時刻タイマの値とから基準時刻を求め、前記時刻タイマに取得した前記現在時刻を、前記基準時刻記憶部に前記基準時刻を設定するタイマ管理部と、を有し
前記タイマ管理部は、モジュールからの時刻情報の問い合わせに対して、前記時刻タイマと前記基準時刻記憶部とに対して時刻を要求し、その応答に応じて経過時間を計算し、モジュールに経過時間を返すことを特徴とする電子機器。
【請求項１４】
起動後にシステムの初期値からカウントアップを開始する時刻タイマと、
機器の基準時刻を保持する基準時刻記憶部であって、起動時に前記システムの初期値を記憶する基準時刻記憶部と、
外部から時刻情報を取得する少なくとも１つの外部時刻情報取得部と、
モジュールからの起動後経過時刻問い合わせに対して、前記時刻タイマの値から前記基準時刻記憶部に記憶されている基準時刻の値を減算した値を起動後経過時刻として返すタイマ管理部であって、前記外部時刻情報取得部が外部から時刻情報を取得すると、取得した前記時刻情報からその時点での時刻タイマの値を減算しさらに基準時刻記憶部に記憶されている基準時刻の値を加算した値を基準時刻記憶部に反映させた後に、取得した前記時刻情報をそのまま前記時刻タイマに反映するタイマ管理部と、を備えた電子機器。
【請求項１５】
起動後にシステムの初期値から時刻タイマのカウントアップを開始するステップと、
機器の基準時刻を保持する基準時刻記憶部に、起動時に前記システムの初期値を記憶させるステップと、
外部時刻情報取得部により外部から現在時刻を取得すると、前記外部時刻情報取得部がタイマ管理部に対して時刻を取得したことを通知し、前記タイマ管理部は、外部から取得した前記現在時刻と前記時刻タイマの値とから基準時刻を求め、前記時刻タイマに取得した前記現在時刻を、前記基準時刻記憶部に前記基準時刻を設定するステップと、
モジュールからの時刻情報問い合わせに応じて、前記時刻タイマと前記基準時刻記憶部とに対して時刻を要求し、その応答に応じて経過時間を計算し、モジュールに経過時間を返すステップと、を備えた電子機器におけるタイマ処理方法。
【請求項１６】
起動後にシステムの初期値から時刻タイマのカウントアップを開始するステップと、
機器の基準時刻を保持する基準時刻記憶部に、起動時に前記システムの初期値を記憶させるステップと、
モジュールからの起動後経過時刻問い合わせに対して、前記時刻タイマの値から前記基準時刻記憶部に記憶されている値を減算した値を起動後経過時刻として返すステップと、
外部から時刻情報を取得し、取得した前記時刻情報からその時点での時刻タイマの値を減算しさらに基準時刻記憶部に記憶されている値を加算した値を基準時刻記憶部に反映させた後に取得した前記時刻情報をそのまま前記時刻タイマに反映するステップと、を備えた電子機器におけるタイマ処理方法。
【請求項１７】
請求項１５又は１６に記載のタイマ処理方法を制御部に実行させるためのプログラム。
【手続補正２】
【補正対象書類名】明細書
【補正対象項目名】発明の名称
【補正方法】変更
【補正の内容】
【発明の名称】電子機器、タイマ調整装置、タイマソフトウェア、タイマ処理方法及びタイマ処理プログラム